(57)【要約】【課題】蛍光灯型ＬＥＤ照明装置において、中央部の垂れ下がりを防止する。【解決手段】樹脂製パイプ２と、その内部に挿入した回路基板３と、回路基板３の表面に実装されたＬＥＤ４とを備え、回路基板３は、ＬＥＤ４が実装された主回路基板３Ａと、主回路基板３Ａに直交するように立設された背骨状の補強基板３Ｂとを備える。【選択図】図２
2011238574.tif 000002
【特許請求の範囲】
【請求項１】
透明または半透明の樹脂製パイプと、前記樹脂製パイプの内部に挿入した回路基板と、前記回路基板の表面に実装されたＬＥＤと、を備える蛍光灯型ＬＥＤ照明装置において、
前記回路基板は、前記ＬＥＤが実装された面に略直交するように背骨状の補強基板を有することを特徴とする蛍光灯型ＬＥＤ照明装置。
【請求項２】
前記ＬＥＤを点灯させるための電気部品のうち発熱する部品が前記背骨状の補強基板に実装されていることを特徴とする請求項１に記載の蛍光灯型ＬＥＤ照明装置。
【請求項３】
前記回路基板のＬＥＤが実装された面において前記背骨状の補強基板に実装された発熱する部品の直下方位置に空気の流通穴があけてあることを特徴とする請求項２に記載の蛍光灯型ＬＥＤ照明装置。
【請求項４】
前記樹脂製パイプが乳白色のポリカーボネイトであることを特徴とする請求項１乃至３のいずれか１項に記載の蛍光灯型ＬＥＤ照明装置。
【発明の詳細な説明】
【技術分野】
【０００１】  本発明は蛍光灯型ＬＥＤ照明装置に関する。
【背景技術】
【０００２】  既設の蛍光灯照明器具において蛍光管に代えて円筒状のＬＥＤ装置を取り付けることにより発光する蛍光灯型ＬＥＤ照明装置が知られている（例えば、特許文献１及び２参照）。これらの蛍光灯型ＬＥＤ照明装置は、図８に示すように、既設の蛍光灯照明器具に取り付けできるように、蛍光管とほぼ同一形状の円筒形パイプ１０１内に１枚の細長い回路基板１０２が挿入され、その回路基板の一面に多数のＬＥＤ１０３が実装されている。【０００３】  また、ＬＥＤが実装された細長い回路基板に半円筒ドーム状のカバーを設けたものが知られている（例えば、特許文献３参照）。この蛍光灯型ＬＥＤ照明装置ではカバーの内外に亘って空気の流通が生じるように回路基板に穴があけてある。
【先行技術文献】
【特許文献】
【０００４】
【特許文献１】特開２００１−３５１４０２号公報
【特許文献２】実開平６−５４１０３号公報
【特許文献３】特開２００７−２５７９２８号公報
【発明の概要】
【発明が解決しようとする課題】
【０００５】  特許文献１及び２に記載の蛍光灯型ＬＥＤ照明装置では、加工の容易さや低コスト化のために回路基板を挿入する円筒形パイプ１０１は合成樹脂で製作されることから、パイプ長が長い場合には中央部が自重により垂れ下がってくる問題があった（図９参照）。【０００６】  さらに、長期間の使用により中央部の垂下量が大きくなった場合には両端のプラグ部１０４が蛍光灯照明器具から外れてＬＥＤ装置が落下する虞があった。【０００７】  そこで、本発明は、上記課題を解決するものであり、ＬＥＤ装置の中央部が垂れ下がらない蛍光灯型ＬＥＤ照明装置を提供することを目的とする。
【課題を解決するための手段】
【０００８】  上記目的を達成するために、請求項１の発明は、透明または半透明の樹脂製パイプと、前記樹脂製パイプの内部に挿入した回路基板と、前記回路基板の表面に実装されたＬＥＤと、を備える蛍光灯型ＬＥＤ照明装置において、前記回路基板は、前記ＬＥＤが実装された面に略直交するように背骨状の補強基板を有することを特徴とする。【０００９】  請求項２の発明は、請求項１に記載の蛍光灯型ＬＥＤ照明装置において、前記ＬＥＤを点灯させるための電気部品のうち発熱する部品が前記背骨状の補強基板に実装されていることを特徴とする。【００１０】  請求項３の発明は、請求項２に記載の蛍光灯型ＬＥＤ照明装置において、前記回路基板のＬＥＤが実装された面において前記背骨状の補強基板に実装された発熱する部品の直下方位置に空気の流通穴があけてあることを特徴とする。【００１１】  請求項４の発明は、請求項１乃至３のいずれか１項に記載の蛍光灯型ＬＥＤ照明装置において、前記樹脂製パイプが乳白色のポリカーボネイトであることを特徴とする。
【発明の効果】
【００１２】  請求項１の発明によれば、既設の蛍光灯照明器具に取り付けられるＬＥＤ装置の中央部が垂れ下がることがなく、外れて落下することを防止できる。【００１３】  請求項２の発明によれば、樹脂製パイプの内部に空気の対流を生じさせることができ、パイプ内の温度が上昇することを抑えることができ、ひいては樹脂製パイプが温度上昇により軟化して垂れ下がることを防止できる。【００１４】  請求項３の発明によれば、樹脂製パイプの内部の空気の対流をさらに円滑化させることができ、パイプ内の温度上昇をよりよく抑えることができ、樹脂製パイプが温度上昇により軟化して垂れ下がることを防止できる。【００１５】  請求項４の発明によれば、ＬＥＤからの光が樹脂製パイプにより散乱されるので、ＬＥＤが回路基板に間隔をもって実装されても、樹脂製パイプの全体がほぼ均一の輝度で光る。
【図面の簡単な説明】
【００１６】
【図１】本発明の一実施形態に係る蛍光灯型ＬＥＤ照明装置の外観を示す図。
【図２】同蛍光灯型ＬＥＤ照明装置の縦断面図。
【図３】同蛍光灯型ＬＥＤ照明装置の横断面図。
【図４】同蛍光灯型ＬＥＤ照明装置における回路基板の組み立て工程を示す斜視図。
【図５】同蛍光灯型ＬＥＤ照明装置における回路基板の素材シートからの切り出し工程を示す図。
【図６】同蛍光灯型ＬＥＤ照明装置におけるＬＥＤの点灯回路を示す図。
【図７】同蛍光灯型ＬＥＤ照明装置におけるＬＥＤからの光が拡散する状態を示す図。
【図８】従来の蛍光灯型ＬＥＤ照明装置を示す斜視図。
【図９】同従来の蛍光灯型ＬＥＤ照明装置におけるパイプの垂れ下がり状態を示す図。
【発明を実施するための形態】
【００１７】  以下、本発明の実施形態に係る蛍光灯型ＬＥＤ照明装置について、図１乃至図７を参照して説明する。図１は全体の外観を示し、図２は縦断面を示し、図３は横断面を示す。本実施形態の蛍光灯型ＬＥＤ照明装置１は、半透明で乳白色のポリカーボネイト製の円筒状パイプ２と、パイプ２の内部に挿入した回路基板３と、回路基板３の下面３ａに所定の間隔で多数実装されたＬＥＤ４と、同じく回路基板３に実装されたＬＥＤ４を点灯させるための複数の電気部品５−１、５−２、５−３・・とを備える。パイプ２の両端は口金６により閉塞され、この口金６に端子ピン７が固定されている。口金６と端子ピン７によりプラグ部８が構成されている。
【００１８】  回路基板３は、図４に示すように、複数枚の単位基板３Ａ−１、３Ａ−２・・をパイプ２のほぼ全長に亘って延びるように連接して配置された主回路基板３Ａと、主回路基板３Ａの平面に略直交し、回路基板３の背骨を構成するように設けられた補強基板３Ｂとを備える。主回路基板３Ａと補強基板３Ｂとは側面から見ると、図３に示したように逆Ｔ字状に組み合わされている。
【００１９】  補強基板３Ｂは、単位基板３Ａ−１、３Ａ−２・・同士の連接部分を跨ぐように配置された複数枚の単位基板３Ｂ−１、３Ｂ−２・・から構成されている（図４）。また、パイプ２の内面には主回路基板３Ａと補強基板３Ｂとが逆Ｔ字状に組み合わされた状態を維持したまま挿入できるように案内突起２ａが形成されている。案内突起２ａは各基板３Ａ、３Ｂの端縁を係合できるように基板３Ａ、３Ｂの厚み幅のスリットを有している。図３に示すように、蛍光灯照明器具に取り付けられた状態では、主回路基板３Ａの面が天井Ｒに平行になるようになっている。
【００２０】  主回路基板３Ａと補強基板３Ｂの組み立て構造について、図４を参照してさらに説明する。各単位基板３Ａ−１、３Ａ−２・・には２箇所の差し込み穴９が形成されており、この差し込み穴９に単位基板３Ｂ−１、３Ｂ−２・・の端縁に形成された突起１１が挿入されるようになっている。差し込み穴９に突起１１が挿入された状態では、主回路基板３Ａに対して補強基板３Ｂが直立する。また、各差し込み穴９同士、及び各突起１１同士は導線９ａ、１１ａでもって電気的に接続されると共に、差し込み穴９と突起１１は互いに嵌合したときに電気的に導通するソケットとプラグに構成されている。このことから、図２に示すように組み立てられた状態では全ての単位基板３Ａ−１、３Ａ−２・・、及び３Ｂ−１、３Ｂ−２・・が電気的に接続されるようになっている。なお、単位基板３Ａ−１、３Ａ−２・・、及び単位基板３Ｂ−１、３Ｂ−２・・は、図５に示すように、１枚の大きなシートから切り出し、及び部品を実装して製作することができ、低コスト化を図ることができる。
【００２１】  上記のように各単位基板３Ａ−１、３Ａ−２・・、及び３Ｂ−１、３Ｂ−２・・が電気的に接続されることにより、ＬＥＤ４を点灯させるための各電気部品５−１、５−２、５−３・・を任意の基板上に実装することができる。そして、発熱部品であるレギュレータなどの定電流素子５−３は、特に補強基板３Ｂに実装してある。その他の発熱しない電気部品５−１、５−２、５−４は回路設計上合理的な位置に実装される。図６に主回路基板３Ａと補強基板３Ｂ上に亘って実装された電気回路を示す。端子ピン７に接続された整流回路１２から供給される直流によってＬＥＤ４が点灯される。整流回路１２は定電流素子５−３などから構成されている。さらに、図２に示すように、電気部品（定電流素子）５−３の直下方位置の主回路基板３Ａには、空気の流通穴１３があけてある。
【００２２】  次に、本実施形態の蛍光灯型ＬＥＤ照明装置１の動作について説明する。既設の蛍光灯照明器具（図示せず）から安定器やグローランプを事前に取り除いておき、そのようにした蛍光灯照明器具に本蛍光灯型ＬＥＤ照明装置１のプラグ部８を挿入することによって取り付ける。取り付けた状態では全ＬＥＤ４が下向きになり（図３）、端子ピン７にＡＣ１００ボルトが供給され、整流回路１２を介してＬＥＤ４に所定の直流が供給されて各ＬＥＤ４が点灯する。ＬＥＤ４からの光Ｌが下方へ向けて放射される。
【００２３】  取り付けられた蛍光灯型ＬＥＤ照明装置１の姿勢が水平であって、パイプ２の中央部に自重がかかっても、回路基板３は背骨状の補強基板３Ｂを有しているので、主回路基板３Ａが湾曲せず、パイプ２の中央部が垂れ下がることがない。また、定電流素子５−３が発熱するが、パイプ２内に図２、３に示す空気の対流が生じて熱がパイプ２の表面を通じて外側へ逃がされ、定電流素子５−３が過熱することがなく、ひいては電気回路全体の温度が過上昇することがなく、電気部品の寿命が伸びる。さらに、パイプ２自体の温度上昇も抑えられるので、温度上昇により可塑性が増す樹脂によりパイプ２が形成されている場合でも、パイプ２の中央部の垂れ下がりを防止することができる。
【００２４】  空気の対流は、図２において矢印Ａで示すように、主回路基板３Ａの下側から流通穴１３を通って主回路基板３Ａの上側に至り、その後パイプ２の両端に向かい、口金６部分で下降して再び主回路基板３Ａの下側へ回り込む主に横方向の経路と、図３において矢印Ｂで示すように補強基板３Ｂに沿って上昇し、パイプ２の頂点付近に衝突したのちパイプ２の内面に沿って下降する主に縦方向の経路がある。直立する補強基板３Ｂ上に発熱部品５−３が配置され、その直下に空気の流通穴１３があけてあるので、パイプ２内の略中央に強い上昇気流が生じ、いずれの経路の空気流も十分な流量になる。
【００２５】  なお、パイプ２を乳白色のポリカーボネイト製で直径が４０ミリであって、その光透過率が８０〜９０％に設定したときに、ＬＥＤ４の実装間隔Ｄを８ミリにすれば、図７に示すようにＬＥＤ４から出た光Ｌがパイプ２の内部で拡散されて、外側から見たときに個々のＬＥＤ４の輪郭が目立たず、パイプ２の全体が均一に発光して見えるようにできる。
【符号の説明】
【００２６】１  蛍光灯型ＬＥＤ照明装置
２  パイプ
３  回路基板
３Ａ  主回路基板
３Ｂ  補強基板
４  ＬＥＤ
５−３  発熱部品
１３  空気の流通穴
【図１】
2011238574.tif 000003
【図２】
2011238574.tif 000004
【図３】
2011238574.tif 000005
【図４】
2011238574.tif 000006
【図５】
2011238574.tif 000007
【図６】
2011238574.tif 000008
【図７】
2011238574.tif 000009
【図８】
2011238574.tif 000010
【図９】
2011238574.tif 000011